(57)【要約】【課題】閉塞したドレン管を開通させることができると共に、配管内の液体を外部の所定の場所に排出させることができるドレン管開通装置及びドレン管開通方法を提供する。【解決手段】ドレン管開通装置１は、管体１０、シール部材２０及びロッド３０を備えている。管体１０は、ドレン管４１の開口端４１ａに接続される接続管１１、接続管１１に対して側方に延在する延在管１３、及び接続管１１と延在管１３とを連結する連結管１２を有している。連結管１２の側壁には貫通孔が設けられている。シール部材２０は、挿入部３１を摺動自在に保持し、かつ挿入部３１と貫通孔との間を液密に封止する。ロッド３０は、貫通孔１４から接続管１１を介してドレン管４１に挿入される挿入部３１、及び挿入部３１に対して側方に延在するハンドル部３２を有している。ハンドル部３２には、グリップ３３が取り付けられている。【選択図】図１
2012087844.tif 000002
【特許請求の範囲】
【請求項１】
液体が流通する配管に設置されたドレン管が閉塞した場合に、当該ドレン管を開通させるためのドレン管開通装置であって、
前記ドレン管の開口端に接続される接続管、前記接続管に対して側方に延在する延在管、及び前記接続管と前記延在管とを連結する連結管を有し、前記ドレン管の前記開口端に対向するように側壁に貫通孔が設けられた管体と、
前記貫通孔から前記接続管を介して前記ドレン管に挿入される挿入部、及び前記挿入部に対して側方に延在するハンドル部を有するロッドと、
を備えることを特徴とするドレン管開通装置。
【請求項２】
前記貫通孔には、前記貫通孔に挿入された前記挿入部を摺動自在に保持し、かつ前記貫通孔に挿入された前記挿入部と前記貫通孔の内面との間を液密に封止するシール部材が配置されていることを特徴とする請求項１に記載のドレン管開通装置。
【請求項３】
前記ハンドル部には、グリップが取り付けられていることを特徴とする請求項１又は２に記載のドレン管開通装置。
【請求項４】
液体が流通する配管に設置されたドレン管が閉塞した場合に、当該ドレン管を開通させるためのドレン管開通方法であって、
前記ドレン管の開口端に接続される接続管、前記接続管に対して側方に延在する延在管、及び前記接続管と前記延在管とを連結する連結管を有し、前記ドレン管の前記開口端に対向するように側壁に貫通孔が設けられた管体を準備し、前記ドレン管の前記開口端に前記接続管を接続する第１の工程と、
前記第１の工程の後、前記貫通孔から前記接続管を介して前記ドレン管に挿入される挿入部、及び前記挿入部に対して側方に延在するハンドル部を有するロッドを準備し、前記貫通孔から前記接続管を介して前記ドレン管に前記挿入部を挿入する第２の工程と、
前記第２の工程の後、前記ハンドル部を操作することにより、前記ドレン管内において前記挿入部を回動及び往復動させ、前記接続管、前記連結管及び前記延在管を介して前記液体を排出させる第３の工程と、
を備えることを特徴とするドレン管開通方法。
【発明の詳細な説明】
【技術分野】
【０００１】
本発明は、液体が流通する配管に設置されたドレン管が閉塞した場合に、当該ドレン管を開通させるためのドレン管開通装置及びドレン管開通方法に関する。
【背景技術】
【０００２】
例えば、特許文献１には、配管内を流通する排水等に所定の流れを発生させて、配管の詰まり等を未然に防止する装置が記載されている。この装置では、配管内部の閉塞しやすい箇所より上流側に羽根車を配置し、その羽根車を回転させることにより旋回流れを発生させる。これにより、配管の内面に沿う流速が速くなり、配管の内面への異物の付着が防止され、かつ付着した異物が除去される。
【先行技術文献】
【特許文献】
【０００３】
【特許文献１】特開２００２−５８９９１号公報
【発明の概要】
【発明が解決しようとする課題】
【０００４】
ところで、液体が流通する配管に設置されたドレン管が閉塞した場合には、ドレン管の開口端から針金等を挿入してドレン管を開通させることがある。しかし、そのような場合、ドレン管が開通すると同時に、ドレン管の開口端から液体が噴出するおそれがある。
【０００５】
そこで、本発明は、閉塞したドレン管を開通させることができると共に、配管内の液体を外部の所定の場所に排出させることができるドレン管開通装置及びドレン管開通方法を提供することを課題とする。
【課題を解決するための手段】
【０００６】
上記課題を解決するために、本発明のドレン管開通装置は、液体が流通する配管に設置されたドレン管が閉塞した場合に、当該ドレン管を開通させるためのドレン管開通装置であって、ドレン管の開口端に接続される接続管、接続管に対して側方に延在する延在管、及び接続管と延在管とを連結する連結管を有し、ドレン管の開口端に対向するように側壁に貫通孔が設けられた管体と、貫通孔から接続管を介してドレン管に挿入される挿入部、及び挿入部に対して側方に延在するハンドル部を有するロッドと、を備えることを特徴とする。
【０００７】
また、本発明のドレン管開通方法は、液体が流通する配管に設置されたドレン管が閉塞した場合に、当該ドレン管を開通させるためのドレン管開通方法であって、ドレン管の開口端に接続される接続管、接続管に対して側方に延在する延在管、及び接続管と延在管とを連結する連結管を有し、ドレン管の開口端に対向するように側壁に貫通孔が設けられた管体を準備し、ドレン管の開口端に接続管を接続する第１の工程と、第１の工程の後、貫通孔から接続管を介してドレン管に挿入される挿入部、及び挿入部に対して側方に延在するハンドル部を有するロッドを準備し、貫通孔から接続管を介してドレン管に挿入部を挿入する第２の工程と、第２の工程の後、ハンドル部を操作することにより、ドレン管内において挿入部を回動及び往復動させ、接続管、連結管及び延在管を介して液体を排出させる第３の工程と、を備えることを特徴とする。
【０００８】
これらのドレン管開通装置及びドレン管開通方法においては、ドレン管の開口端に管体の接続管を接続し、貫通孔から接続管を介してドレン管にロッドの挿入部を挿入する。そして、ロッドのハンドル部を操作して、ドレン管内において挿入部を回動及び往復動させることにより、閉塞物の少なくとも一部を除去してドレン管を開通させることができる。さらに、接続管、連結管及び延在管を介して、配管内の液体を外部の所定の場所に排出させることができる。
【０００９】
ここで、貫通孔には、貫通孔に挿入された挿入部を摺動自在に保持し、かつ貫通孔に挿入された挿入部と貫通孔の内面との間を液密に封止するシール部材が配置されていることが好ましい。この構成によれば、挿入部と貫通孔の内面との間から液体が漏出するのを防止しつつ、ドレン管内において挿入部を回動及び往復動させることができる。
【００１０】
また、ハンドル部には、グリップが取り付けられていることが好ましい。この構成によれば、ドレン管内において挿入部を回動又は往復動させるためのハンドル部の操作を容易に実施することができる。さらに、たとえ挿入部と貫通孔の内面との間から液体が漏出して、ハンドル部を伝ってきたとしてもグリップを把持した手に付着するのを防止することができる。
【発明の効果】
【００１１】
本発明によれば、閉塞したドレン管を開通させることができると共に、配管内の液体を外部の所定の場所に排出させることができる。
【図面の簡単な説明】
【００１２】
【図１】本発明の一実施形態のドレン管開通装置の正面図である。
【図２】図１に示されたドレン管開通装置の縦断面図である。
【図３】本発明の一実施形態のドレン管開通方法の一工程におけるドレン管開通装置の縦断面図である。
【図４】本発明の一実施形態のドレン管開通方法の一工程におけるドレン管開通装置の縦断面図である。
【図５】本発明の一実施形態のドレン管開通方法の一工程におけるドレン管開通装置の縦断面図である。
【発明を実施するための形態】
【００１３】
以下、本発明の好適な実施形態について、図面を参照して詳細に説明する。なお、各図において同一又は相当部分には同一の符号を付し、重複する説明を省略する。
【００１４】
図１及び図２に示されるように、ドレン管開通装置１は、油等の液体が流通する配管４３に設置されたドレン管４１が閉塞した場合に、当該ドレン管４１を開通させるための装置である。ドレン管４１は、配管４３の所定の位置から鉛直下方に延在しており、ドレン管４１には、その流路を開閉するドレン弁４２が設けられている。
【００１５】
ドレン管開通装置１は、Ｌ字状に延在しかつ横断面が円環状である金属製の管体１０を備えている。管体１０は、ドレン管４１の開口端４１ａに接続される接続管１１、接続管１１に対して側方に延在する延在管１３、及び接続管１１と延在管１３とを連結する連結管１２を有している。接続管１１と連結管１２とは一体的に形成されており、連結管１２は管体１０のエルボ部となっている。連結管１２の側壁にはドレン管４１の開口端４１ａに対向するように、貫通孔１４が設けられている。延在管１３と連結管１２とは、溶接等によって固定されており、延在管１３は水平方向に延在している。なお、接続管１１は、ドレン管４１の開口端４１ａにねじ等によって着脱自在に接続される。
【００１６】
また、ドレン管開通装置１は、Ｌ字状に延在しかつ横断面が円形状である金属製のロッド３０を備えている。ロッド３０は、貫通孔１４から接続管１１を介してドレン管４１に挿入される挿入部３１、及び挿入部３１に対して側方に延在するハンドル部３２を有している。挿入部３１とハンドル部３２とは一体的に形成されており、挿入部３１は鉛直上方に延在し、ハンドル部３２は水平方向に延在している。ハンドル部３２の端部には、樹脂製のグリップ３３が取り付けられている。
【００１７】
また、貫通孔１４に挿入された挿入部３１と貫通孔１４の内面との間には樹脂製のシール部材２０が配置されている。このシール部材２０は、貫通孔１４に挿入された挿入部３１を摺動自在に保持し、かつ貫通孔１４に挿入された挿入部３１と貫通孔１４の内面との間を液密に封止する。
【００１８】
以上のように構成されたドレン管開通装置１によって実施されるドレン管開通方法について説明する。まず、図３（ａ）に示されるように、ドレン管４１が閉塞物４４によって閉塞し、ドレン弁４２を開いてもドレン管４１から液体４５が排出されない場合には、図３（ｂ）に示されるように、管体１０を準備し、ドレン管４１の開口端４１ａに接続管１１を接続する（第１の工程）。
【００１９】
続いて、図４（ａ）に示されるように、ロッド３０を準備し、貫通孔１４から接続管１１を介してドレン管４１に挿入部３１を挿入する（第２の工程）。ドレン管４１の開口端４１ａと管体１０の接続管１１との接続は、管体１０の貫通孔１４にロッド３０の挿入部３１を挿入した状態で行ってもよい。また、ドレン弁４２を閉じた状態でドレン管４１の開口端４１ａと接続管１１との接続を行い、その後にドレン弁４２を開いてもよい。
【００２０】
続いて、図４（ｂ）に示されるように、グリップ３３を握ってハンドル部３２を操作することによりドレン管４１内において、挿入部３１をその中心線３１ａ回りに回動させると共に、その中心線３１ａ方向に往復動させる。これにより、閉塞物４４の少なくとも一部が除去されてドレン管４１が開通する。ドレン管４１が開通すると、図５に示されるようにドレン管４１から接続管１１、連結管１２及び延在管１３を介して外部の所定の場所に液体４５が排出される（第３の工程）。
【００２１】
以上説明したように、ドレン管開通装置１及びそれによって実施されるドレン管開通方法では、ドレン管４１の開口端４１ａに管体１０の接続管１１を接続し、貫通孔１４から接続管１１を介してドレン管４１にロッド３０の挿入部３１を挿入する。そして、ロッド３０のハンドル部３２を操作して、ドレン管４１内において挿入部３１を回動及び往復動させることにより、閉塞物４４の少なくとも一部を除去してドレン管４１を開通させることができる。さらに、接続管１１、連結管１２及び延在管１３を介して、配管４３内の液体４５を外部の所定の場所に排出させることができる。
【００２２】
また、ドレン管開通装置１には、貫通孔１４に挿入された挿入部３１を摺動自在に保持し、かつ貫通孔１４に挿入された挿入部３１と貫通孔１４の内面との間を液密に封止するシール部材２０が配置されている。この構成によれば、挿入部３１と貫通孔１４の内面との間から液体４５が漏出するのを防止しつつ、ドレン管４１内において挿入部３１を回動及び往復動させることができる。
【００２３】
また、ハンドル部３２には、グリップ３３が取り付けられている。この構成によれば、ドレン管４１内において挿入部３１を回動又は往復動させるためのハンドル部３２の操作を容易に実施することができる。さらに、たとえ挿入部３１と貫通孔１４の内面との間から液体４５が漏出してハンドル部３２を伝ってきたとしても、グリップ３３を把持した手に液体４５が付着するのを防止することができる。
【符号の説明】
【００２４】
１…ドレン管開通装置、１０…管体、１１…接続管、１２…連結管、１３…延在管、１４…貫通孔、３０…ロッド、３１…挿入部、３２…ハンドル部、４１…ドレン管、４１ａ…開口端、４３…配管、４５…液体。
【図１】
2012087844.tif 000003
【図２】
2012087844.tif 000004
【図３】
2012087844.tif 000005
【図４】
2012087844.tif 000006
【図５】
2012087844.tif 000007